(57)【要約】【課題】冷却水中に含まれる異物が冷却手段内に蓄積するのを防止し、冷却機能の低下を防止することが可能な高温用弁を提供する。【解決手段】冷却水Ｗを流すことで冷却を行う冷却手段を備えた高温用仕切弁であって、冷却手段の冷却水入口１２に冷却用配管３５が接続され、冷却用配管３５は、上流側管部３９と、冷却水入口１２に接続される下流側管部４０と、上流側管部３９から分岐するとともに下流側管部４０に統合される２本の分岐管部４１ａ，４１ｂとを有し、各分岐管部４１ａ，４１ｂにフィルタ３８ａ，３８ｂが設けられ、両分岐管部４１ａ，４１ｂのうちからいずれかを選択して冷却水Ｗを流す切換弁３６ａ，３６ｂが設けられ、上流側管部３９と下流側管部４０との差圧を検出する差圧スイッチ５０が設けられている。【選択図】図２
2008014379.tif 000002
【特許請求の範囲】
【請求項１】
冷却用流体を流すことで冷却を行う冷却手段を備えた高温用弁であって、
冷却手段へ供給される冷却用流体の流路を構成する冷却用配管が接続され、
冷却用配管にフィルタが設けられていることを特徴とする高温用弁。
【請求項２】
冷却用配管は並列に配設された複数の分岐管部を有し、
フィルタは各分岐管部にそれぞれ設けられ、
複数の分岐管部のうちからいずれかの分岐管部を選択して冷却用流体を流す切換装置が設けられていることを特徴とする請求項１記載の高温用弁。
【請求項３】
分岐管部は上流側管部から分岐するとともに下流側管部に統合され、
上流側管部と下流側管部との差圧を検出する差圧検出器が設けられていることを特徴とする請求項２に記載の高温用弁。
【発明の詳細な説明】
【技術分野】
【０００１】
本発明は、例えば水冷用のジャケット等の冷却手段を備えた高温用弁に関する。
【背景技術】
【０００２】
従来、この種の高温用弁としては、例えば図５に示すような水冷式の高温用仕切弁１がある。この高温用仕切弁１は、円筒形の弁箱２と、弁箱２の軸心と直交して上下方向で変位可能に設定された円盤形の弁体３と、左右一対の弁棒４ａ，４ｂと、弁箱２の上側に設けられた蓋体６とを有している。弁体３は、両弁棒４ａ，４ｂの下端に取付けられており、上昇位置（開位置）において蓋体６内に格納される。
【０００３】
高温用仕切弁１には、冷却水Ｗを流すことで冷却を行う第１および第２の冷却手段７，８が備えられている。
第１の冷却手段７は、弁箱２の外周に設けられた環状の弁箱側水冷用ジャケット９と、蓋体６の外周に設けられた蓋体側水冷用ジャケット１０と、これら両ジャケット９，１０内に連通するベンド管１１とで構成されている。弁箱側水冷用ジャケット９には、冷却水Ｗをジャケット９内に流入させる冷却水入口１２が設けられている。また、蓋体側水冷用ジャケット１０には、ジャケット１０内の冷却水Ｗを排出する冷却水出口１３が設けられている。上記冷却水入口１２には入口側の冷却用配管１９が接続され、冷却水出口１３には出口側の冷却用配管２０が接続されている。尚、弁箱側水冷用ジャケット９の底部には、ジャケット９内の異物を排出するためのドレン弁２１が設けられている。
【０００４】
第２の冷却手段８は、弁体３の外周縁の弁体シート部１４に形成された中空構造の弁体側冷却水流路１５と、両弁棒４ａ，４ｂにそれぞれ形成された弁棒側冷却水流路１６ａ，１６ｂとで構成されている。これら両弁棒側冷却水流路１６ａ，１６ｂは弁体側冷却水流路１５に連通している。また、一方の弁棒４ａの上端部には、冷却水Ｗを一方の弁棒側冷却水流路１６ａ内へ流入させる冷却水入口１７が設けられている。他方の弁棒４ｂの上端部には、冷却水Ｗを他方の弁棒側冷却水流路１６ｂ内から排出する冷却水出口１８が設けられている。上記冷却水入口１７には入口側の冷却用配管２２が接続され、冷却水出口１８には出口側の冷却用配管２３が接続されている。
【０００５】
これによると、上記高温用仕切弁１は、高温流体（例えば高温ガス等）を流したり或いは遮断するために使用されるものである。この際、冷却水Ｗは、入口側の冷却用配管１９から冷却水入口１２を通って弁箱側水冷用ジャケット９内に供給され、弁箱側水冷用ジャケット９内を循環した後、ベンド管１１を経て、蓋体側水冷用ジャケット１０内に流入し、蓋体側水冷用ジャケット１０内を循環した後、冷却水出口１３から出口側の冷却用配管２０へ排出される。これにより、第１の冷却手段７によって弁箱２や蓋体６が冷却される。
【０００６】
また、冷却水Ｗは、入口側の冷却用配管２２から冷却水入口１７を通って一方の弁棒側冷却水流路１６ａを流れ、弁体側冷却水流路１５に供給された後、他方の弁棒側冷却水流路１６ｂを通って冷却水出口１８から出口側の冷却用配管２３へ排出される。これにより、第２の冷却手段８によって弁体３の弁体シート部１４が冷却される。
【０００７】
尚、下記特許文献１には、上記のような水冷用ジャケットを備えた高温用仕切弁が記載されている。
【特許文献１】実開平６−４０５５５
【発明の開示】
【発明が解決しようとする課題】
【０００８】
しかしながら上記の従来形式では、工業用水等を冷却水Ｗとして使用している場合、冷却水Ｗにはダスト等の異物（不純物）が多く含まれているため、冷却水Ｗ中の異物が第１の冷却手段７の弁箱側水冷用ジャケット９内や蓋体側水冷用ジャケット１０内に蓄積され堆積するといった問題がある。尚、このように異物が一旦堆積してしまうと、ドレン弁２１を開いても、異物を十分に排出させることは困難であった。
【０００９】
同様に、冷却水Ｗ中の異物が第２の冷却手段８の弁体側冷却水流路１５内に蓄積され堆積するといった問題があり、上記異物を弁体側冷却水流路１５内から除去することは困難であった。
【００１０】
上記のように水冷用ジャケット９，１０内又は弁体側冷却水流路１５内に冷却水Ｗ中の異物が侵入して堆積した場合、高温用仕切弁１に対する冷却機能が大幅に低下し、シート部等を中心に熱影響によるクラックが発生する虞れがあった。
【００１１】
本発明は、冷却用流体中に含まれる異物が冷却手段内に蓄積するのを防止することができ、冷却機能の低下を防止することが可能な高温用弁を提供することを目的とする。
【課題を解決するための手段】
【００１２】
上記目的を達成するために、本第１発明は、冷却用流体を流すことで冷却を行う冷却手段を備えた高温用弁であって、冷却手段へ供給される冷却用流体の流路を構成する冷却用配管が接続され、冷却用配管にフィルタが設けられているものである。
【００１３】
これによると、冷却用配管を流れる冷却用流体中に含まれる異物はフィルタによって捕捉される。これにより、冷却用流体中の異物が高温用弁の冷却手段へ侵入するのを防止することができるため、上記異物が冷却手段内に蓄積されるのを防止することができる。
【００１４】
また、本第２発明は、冷却用配管は並列に配設された複数の分岐管部を有し、フィルタは各分岐管部にそれぞれ設けられ、複数の分岐管部のうちからいずれかの分岐管部を選択して冷却用流体を流す切換装置が設けられているものである。
【００１５】
これによると、切換装置によっていずれかの分岐管部を選択することにより、この選択された分岐管部に冷却用流体が流れて冷却手段へ供給され、冷却用流体中の異物は上記選択した分岐管部のフィルタによって捕捉される。
【００１６】
その後、切換装置によって別の分岐管部を選択することにより、この選択された別の分岐管部に冷却用流体が流れて冷却手段へ供給され、冷却用流体中の異物は上記選択された別の分岐管部のフィルタによって捕捉される。この際、冷却用流体は先に選択された分岐管部には流れないため、冷却用流体を冷却手段へ連続的に供給したままの状態で、先に選択された分岐管部内の流れを遮断し、先に選択された分岐管部のフィルタを取り外して清掃したり交換することができる。
【００１７】
また、本第３発明は、分岐管部は上流側管部から分岐するとともに下流側管部に統合され、上流側管部と下流側管部との差圧を検出する差圧検出器が設けられているものである。
【００１８】
これによると、冷却用流体中の異物が選択されている分岐管部のフィルタによって捕捉され、このフィルタが異物よって目詰りすると、上流側管部と下流側管部との差圧が増大し、この差圧を差圧検出器が検出することによって、フィルタの目詰りの進行程度を迅速かつ確実に確認することができる。これにより、切換装置によって別の分岐管部を選択し、目詰りを起こしたフィルタを備えた分岐管部における冷却用流体の流れを遮断し、目詰りしていないフィルタを備えた別の分岐管部に冷却用流体を流すことができる。
【００１９】
これにより、作業者は目詰りしたフィルタの清掃や交換の時期を迅速かつ正確に察知することができ、作業者の気付かないうちにフィルタの目詰りが進行して冷却用流体の流量が減少し高温用弁に対する冷却機能が大幅に低下するといった不具合を防止することができる。
【発明の効果】
【００２０】
以上のように、本発明では、冷却用流体中に含まれる異物（不純物）が高温用弁の冷却手段へ侵入するのを防止することができるため、上記異物が冷却手段内に蓄積されるのを防止することができる。
【００２１】
また、切換装置によって選択される分岐管部を切換えることにより、冷却用流体を冷却手段へ連続的に供給したままの状態で、冷却用流体の流れを遮断した分岐管部のフィルタを取り外して清掃したり交換することができる。これにより、冷却作用を中断することなく、フィルタの清掃や交換を行うことができる。
【００２２】
また、作業者は目詰りしたフィルタの清掃や交換の時期を迅速かつ正確に察知することができ、作業者の気付かないうちにフィルタの目詰りが進行して冷却用流体の流量が減少し高温用弁に対する冷却機能が大幅に低下するといった不具合を防止することができる。
【発明を実施するための最良の形態】
【００２３】
以下、本発明における第１の実施の形態を図１〜図３に基いて説明する。尚、先に述べた従来のものと同じ部材については同一の符号を付記して説明を省略する。
３１は高温用弁の一例である高温用仕切弁である。この高温用仕切弁３１の第１の冷却手段７には、冷却水Ｗ（冷却用流体の一例）中に含まれる異物（不純物）を除去する異物除去装置３３が接続されている。
【００２４】
この異物除去装置３３は、第１の冷却手段７へ供給される冷却水Ｗの流路を構成する入口側の冷却用配管３５と、２台の切換弁３６ａ，３６ｂ（切換装置の一例）と、２個のフィルタ３８ａ，３８ｂとを有している。
【００２５】
図２に示すように、入口側の冷却用配管３５は、上流側管部３９と、第１の冷却手段７の冷却水入口１２（冷却用流体入口の一例）に接続される下流側管部４０と、これら上下流側の両管部３９，４０間に並列に配設された２本の分岐管部４１ａ，４１ｂとを有している。両分岐管部４１ａ，４１ｂは、上流側管部３９から分岐するとともに、下流側管部４０に統合されている。両分岐管部４１ａ，４１ｂの上流端と上流側管部３９の下流端とが上流側の切換弁３６ａを介して接続されており、また、両分岐管部４１ａ，４１ｂの下流端と下流側管部４０の上流端とが下流側の切換弁３６ｂを介して接続されている。
【００２６】
フィルタ３８ａ，３８ｂは、冷却水Ｗ中に含まれる異物を捕捉するものであり、例えば５０〜１００メッシュ程度の金網からなるものである。一方のフィルタ３８ａは、一方の分岐管部４１ａの途中に、着脱自在に設けられている。また、他方のフィルタ３８ｂは、他方の分岐管部４１ｂの途中に、着脱自在に設けられている。
【００２７】
一方の分岐管部４１ａは、上流側の切換弁３６ａと一方のフィルタ３８ａとの間で一対のフランジ４３ａ，４４ａにより接合されているとともに、下流側の切換弁３６ｂと一方のフィルタ３８ａとの間で一対のフランジ４５ａ，４６ａにより接合されている。
【００２８】
同様に、他方の分岐管部４１ｂは、上流側の切換弁３６ａと他方のフィルタ３８ｂとの間で一対のフランジ４３ｂ，４４ｂにより接合されているとともに、下流側の切換弁３６ｂと他方のフィルタ３８ｂとの間で一対のフランジ４５ｂ，４６ｂにより接合されている。
【００２９】
尚、上記一対のフランジ４３ａ，４４ａ同士およびフランジ４５ａ，４６ａ同士はそれぞれ複数のボルト，ナット４８ａを介して着脱自在に連結されている。同様に、上記一対のフランジ４３ｂ，４４ｂ同士およびフランジ４５ｂ，４６ｂ同士はそれぞれ複数のボルト，ナット４８ｂを介して着脱自在に連結されている。
【００３０】
上記切換弁３６ａ，３６ｂは、２本の分岐管部４１ａ，４１ｂのうちからいずれか１本を選択して冷却水Ｗを流す切換装置の一例であり、３ポート２位置切換弁を用いている。両切換弁３６ａ，３６ｂがそれぞれ一方の切換位置に切換えられた場合、上流側管部３９と下流側管部４０とが一方の分岐管部４１ａを介して連通するとともに、上流側管部３９から他方の分岐管部４１ｂへ続く流路および他方の分岐管部４１ｂから下流側管部４０へ続く流路が遮断される。また、両切換弁３６ａ，３６ｂがそれぞれ他方の切換位置に切換えられた場合、上流側管部３９と下流側管部４０とが他方の分岐管部４１ｂを介して連通するとともに、上流側管部３９から一方の分岐管部４１ａへ続く流路および一方の分岐管部４１ａから下流側管部４０へ続く流路が遮断される。
【００３１】
また、上流側管部３９と下流側管部４０との差圧を検出する差圧スイッチ５０（差圧検出器の一例）が設けられている。この差圧スイッチ５０は上記差圧が設定値に達するとオンに切換わり、これに基いて、差圧検出用アラームが発報するように構成されている。
【００３２】
図３に示すように、第１の冷却手段７の冷却水出口１３（冷却用流体出口の一例）には、出口側の冷却用配管５２が接続されている。この出口側の冷却用配管５２には、冷却水出口１３から排出された冷却水Ｗの温度を検出する温度スイッチ５３（温度検出器の一例）が設けられている。この温度スイッチ５３は上記冷却水Ｗの温度が設定値に達するとオンに切換わり、これに基いて、温度検出用アラームが発報するように構成されている。
【００３３】
以下、上記構成における作用を説明する。
両切換弁３６ａ，３６ｂをそれぞれ一方の切換位置に切換えて、一方の分岐管部４１ａを選択しているとし、この状態でポンプ等を用いて冷却水Ｗを上流側管部３９へ圧送することにより、冷却水Ｗは、上流側管部３９から一方の分岐管部４１ａを流れ、下流側管部４０を経て、第１の冷却手段７の冷却水入口１２から弁箱側水冷用ジャケット９内に供給され、弁箱側水冷用ジャケット９内を循環した後、ベンド管１１を経て、蓋体側水冷用ジャケット１０内に流入し、蓋体側水冷用ジャケット１０内を循環した後、冷却水出口１３から出口側の冷却用配管５２へ排出される。これにより、第１の冷却手段７によって弁箱２や蓋体６が冷却される。
【００３４】
冷却水Ｗ中に含まれる異物（不純物）は、一方の分岐管部４１ａを流れる際、一方のフィルタ３８ａによって捕捉される。これにより、冷却水Ｗ中の異物が第１の冷却手段７の水冷用ジャケット９，１０内へ侵入するのを防止することができるため、上記異物が水冷用ジャケット９，１０内に蓄積されるのを防止することができる。
【００３５】
上記一方のフィルタ３８ａによって捕捉される異物の量が次第に増加して一方のフィルタ３８ａの目詰りが増すと、上流側管部３９と下流側管部４０との差圧が上昇し、この差圧が設定値に達すると差圧スイッチ５０がオフからオンへ切換わり、差圧検出用アラームが発報される。
【００３６】
これにより、作業者は、一方のフィルタ３８ａの目詰りの程度を迅速かつ確実に察知することができ、両切換弁３６ａ，３６ｂをそれぞれ他方の切換位置に切換える。これにより、他方の分岐管部４１ｂが選択され、冷却水Ｗは、上流側管部３９から他方の分岐管部４１ｂを流れ、下流側管部４０を経て、第１の冷却手段７の冷却水入口１２から弁箱側水冷用ジャケット９内に供給される。この際、冷却水Ｗ中の異物は他方のフィルタ３８ｂによって捕捉される。
【００３７】
上記のように両切換弁３６ａ，３６ｂを他方の切換位置に切換えた状態では、一方の分岐管部４１ａ内の冷却水Ｗの流れは上流側と下流側との両方で遮断されているため、ボルト，ナット４８ａを取り外して、一方の分岐管部４１ａをフランジ４３ａ，４５ａの箇所から取り外し、さらに、一方の分岐管部４１ａから一方のフィルタ３８ａを取り外すことにより、目詰りした一方のフィルタ３８ａを清掃したり交換することができる。尚、この際においても、冷却水Ｗは他方の分岐管部４１ｂを流れて第１の冷却手段７の冷却水入口１２へ連続的に供給されるため、冷却作用が中断されることはない。
【００３８】
その後、一方のフィルタ３８ａを一方の分岐管部４１ａに取付け、ボルト，ナット４８ａを用いてフランジ４３ａ，４５ａを相手のフランジ４４ａ，４６ａに接合して、一方の分岐管部４１ａを取付けておく。
【００３９】
また、他方のフィルタ３８ｂが目詰りした場合も同様に、差圧検出用アラームが発報されると、両切換弁３６ａ，３６ｂをそれぞれ一方の切換位置に切換えて、一方の分岐管部４１ａを選択し、他方の分岐管部４１ｂを取り外して、他方のフィルタ３８ｂを清掃したり交換する。
【００４０】
上記のように差圧スイッチ５０がオンに切換わり、差圧検出用アラームが発報されることによって、作業者はフィルタ３８ａ，３８ｂの清掃や交換の時期を迅速かつ正確に察知することができ、作業者の気付かないうちにフィルタ３８ａ，３８ｂの目詰りが進行して冷却水Ｗの流量が減少し高温用仕切弁１に対する冷却機能が大幅に低下するといった不具合を防止することができる。
【００４１】
また、高温用仕切弁１に対する冷却機能が正常に働いている場合、出口側の冷却用配管５２を流れる冷却水Ｗの温度は設定値よりも低く、この場合、温度スイッチ５３はオフに切換えられている。万一、冷却水Ｗの流量が減少する等して冷却機能が低下し、出口側の冷却用配管５２を流れる冷却水Ｗの温度が上昇して設定値に達すると、温度スイッチ５３がオンに切換わり、温度検出用アラームが発報される。これにより、万一、上記差圧スイッチ５０が故障し、この状態で、いずれか使用中のフィルタ３８ａ，３８ｂの目詰りが進行して冷却水Ｗの流量が減少した場合であっても、作業者は温度検出用アラームの発報によって冷却機能の低下を察知し、切換弁３６ａ，３６ｂを切換える等して迅速かつ有効な対応を施すことができる。
【００４２】
上記第１の実施の形態では、図１の実線で示すように、異物除去装置３３の入口側の冷却用配管３５を第１の冷却手段７の冷却水入口１２に接続し、出口側の冷却用配管５２を第１の冷却手段７の冷却水出口１３に接続しているが、図１の仮想線で示すように、上記入口側の冷却用配管３５を第２の冷却手段８の冷却水入口１７に接続し、出口側の冷却用配管５２を第２の冷却手段８の冷却水出口１８に接続してもよい。
【００４３】
この場合、冷却水Ｗは、上流側管部３９から一方の分岐管部４１ａ又は他方の分岐管部４１ｂを流れ、下流側管部４０を経て、第２の冷却手段８の冷却水入口１７から一方の弁棒側冷却水流路１６ａを通って弁体側冷却水流路１５を流れ、その後、他方の弁棒側冷却水流路１６ｂを通って冷却水出口１８から出口側の冷却用配管５２へ排出される。これにより、第２の冷却手段８によって弁体３の弁体シート部１４が冷却される。
【００４４】
上記第１の実施の形態では、切換弁３６ａ，３６ｂの切換え操作は、作業者が手動で行ってもよいし、或いは、自動的に切換えてもよい。
上記第１の実施の形態では、図２に示すように、２本の分岐管部４１ａ，４１ｂを並列に配設しているが、３本以上の複数本の分岐管部を並列に配設してもよい。
【００４５】
下記第２の実施の形態では、図４に示すように、３本の分岐管部４１ａ〜４１ｃを並列に配設した構成を有するものである。
すなわち、各分岐管部４１ａ〜４１ｃにはフィルタ３８ａ〜３８ｃが設けられている。また、第１の分岐管部４１ａの上流部と下流部とには第１の弁６０ａ，６１ａが設けられ、第２の分岐管部４１ｂの上流部と下流部とには第２の弁６０ｂ，６１ｂが設けられ、第３の分岐管部４１ｃの上流部と下流部とには第３の弁６０ｃ，６１ｃが設けられている。上記第１〜第３の各弁６０ａ〜６０ｃ，６１ａ〜６１ｃは、３本の分岐管部４１ａ〜４１ｃのうちからいずれか１本を選択して冷却水Ｗを流す切換装置の一例である。
【００４６】
第１の分岐管部４１ａは、上流側の第１の弁６０ａと第１のフィルタ３８ａとの間で一対のフランジ４３ａ，４４ａにより接合されているとともに、下流側の第１の弁６１ａと第１のフィルタ３８ａとの間で一対のフランジ４５ａ，４６ａにより接合されている。
【００４７】
同様に、第２の分岐管部４１ｂは、上流側の第２の弁６０ｂと第２のフィルタ３８ｂとの間で一対のフランジ４３ｂ，４４ｂにより接合されているとともに、下流側の第２の弁６１ｂと第２のフィルタ３８ｂとの間で一対のフランジ４５ｂ，４６ｂにより接合されている。
【００４８】
さらに、第３の分岐管部４１ｃは、上流側の第３の弁６０ｃと第３のフィルタ３８ｃとの間で一対のフランジ４３ｃ，４４ｃにより接合されているとともに、下流側の第３の弁６１ｃと第３のフィルタ３８ｃとの間で一対のフランジ４５ｃ，４６ｃにより接合されている。
【００４９】
尚、上記一対のフランジ４３ａ〜４３ｃ，４４ａ〜４４ｃ，４５ａ〜４５ｃ，４６ａ〜４６ｃ同士はそれぞれ複数のボルト，ナット４８ａ〜４８ｃを介して着脱自在に連結されている。
【００５０】
以下、上記構成における作用を説明する。
（１）第１の弁６０ａ，６１ａを開き、第２の弁６０ｂ，６１ｂと第３の弁６０ｃ，６１ｃとを閉じた場合、冷却水Ｗは、上流側管部３９から第１の分岐管部４１ａを流れ、下流側管部４０を経て、第１の冷却手段７の冷却水入口１２（又は第２の冷却手段８の冷却水入口１７）に供給される。
【００５１】
（２）同様に、第２の弁６０ｂ，６１ｂを開き、第１の弁６０ａ，６１ａと第３の弁６０ｃ，６１ｃとを閉じた場合、冷却水Ｗは第２の分岐管部４１ｂを流れる。
（３）同様に、第３の弁６０ｃ，６１ｃを開き、第１の弁６０ａ，６１ａと第２の弁６０ｂ，６１ｂとを閉じた場合、冷却水Ｗは第３の分岐管部４１ｃを流れる。
【００５２】
例えば、上記（１）の状態で、差圧検出用アラームが発報された場合、作業者は上記（２）の状態に切換え、第１の分岐管部４１ａをフランジ４３ａ，４５ａの箇所から取り外し、さらに、第１の分岐管部４１ａから第１のフィルタ３８ａを取り外すことにより、目詰りした第１のフィルタ３８ａを清掃したり交換することができる。尚、この際においても、冷却水Ｗは第２の分岐管部４１ｂを流れているため、冷却作用が中断されることはない。
【００５３】
同様に、上記（２）の状態で、差圧検出用アラームが発報された場合、作業者は上記（３）の状態に切換え、第２の分岐管部４１ｂをフランジ４３ｂ，４５ｂの箇所から取り外し、さらに、第２の分岐管部４１ｂから第２のフィルタ３８ｂを取り外すことにより、目詰りした第２のフィルタ３８ｂを清掃したり交換することができる。尚、この際においても、冷却水Ｗは第３の分岐管部４１ｃを流れているため、冷却作用が中断されることはない。
【００５４】
同様に、上記（３）の状態で、差圧検出用アラームが発報された場合、作業者は上記（１）の状態に切換えればよい。
上記第２の実施の形態では、各弁６０ａ〜６０ｃ，６１ａ〜６１ｃの開閉操作は、作業者が手動で行ってもよいし、或いは、自動的に開閉してもよい。
【００５５】
上記第１および第２の実施の形態では、フィルタ３８ａ，３８ｂ，３８ｃを入口側の冷却用配管３５に設けることによって、異物除去装置３３を冷却水入口１２，１７側に接続しているが、出口側の冷却用配管５２に排出された冷却水Ｗを入口側の冷却用配管３５へ戻して繰り返し循環させて使用する場合には、フィルタ３８ａ，３８ｂ，３８ｃを出口側の冷却用配管５２に設けることによって、異物除去装置３３を冷却水出口１３，１８側に接続しても良い。
【００５６】
上記各実施の形態では、冷却用流体の一例として冷却水Ｗを用いたが、冷却水Ｗ以外の液体又は冷却用の気体を用いてもよい。
上記各実施の形態では、高温用弁の一例として高温用仕切弁３１を挙げたが、仕切弁に限定されるものではなく、仕切弁以外の形式の高温用弁であってもよい。
【図面の簡単な説明】
【００５７】
【図１】本発明の第１の実施の形態における高温用仕切弁の図である。
【図２】同、高温用仕切弁の冷却水入口に接続された異物除去装置の図である。
【図３】同、高温用仕切弁の冷却水出口に接続された出口側の冷却用配管の図である。
【図４】本発明の第２の実施の形態における高温用仕切弁の冷却水入口に接続された異物除去装置の図である。
【図５】従来の高温用仕切弁の図である。
【符号の説明】
【００５８】
７      第１の冷却手段
８      第２の冷却手段
３１    高温用仕切弁（高温用弁）
３５    入口側の冷却用配管
３６ａ，３６ｂ    切換弁（切換装置）
３８ａ，３８ｂ，３８ｃ    フィルタ
３９    上流側管部
４０    下流側管部
４１ａ，４１ｂ，４１ｃ    分岐管部
５０    差圧スイッチ（差圧検出器）
６０ａ〜６０ｃ，６１ａ〜６１ｃ    弁（切換装置）
Ｗ      冷却水（冷却用流体）
【図１】
2008014379.tif 000003
【図２】
2008014379.tif 000004
【図３】
2008014379.tif 000005
【図４】
2008014379.tif 000006
【図５】
2008014379.tif 000007